(57)【要約】      （修正有）【課題】工場用の安全靴を提供する。【解決手段】工場用の安全靴は、靴主体１１を含み、前記靴主体の下端には靴底１２が固定的に設置され、前記靴主体の左端にはプルストラップ１４が設置され、前記靴主体の靴の甲の外側には耐衝撃装置１０１が設置され、前記耐衝撃装置の中にはゴムひも装置１３と、バックル装置と、解錠装置１０４とが設置され、前記耐衝撃装置は前記靴底に装着され、前記ゴムひも装置はゴムひもを調節でき、前記バックル装置はロックを行い、前記解錠装置は解錠を行い、且つ前記耐衝撃装置を取り外すことができる。【選択図】図１
2020175132.tif 000002
【特許請求の範囲】
【請求項１】
正面視で、靴主体を含み、前記靴主体の下端には靴底が固定的に設置され、前記靴主体の左端にはプルストラップが設置され、前記靴主体の靴の甲の外側には耐衝撃装置が設置され、前記耐衝撃装置の中にはゴムひも装置と、バックル装置と、解錠装置とが設置され、前記耐衝撃装置は前記靴底に装着され、前記ゴムひも装置はゴムひもを調節でき、前記バックル装置はロックを行い、前記解錠装置は解錠を行い、且つ前記耐衝撃装置を取り外すことができ、前記耐衝撃装置は前記靴主体の靴の甲の上側に設置されている上阻み板を含み、前記上阻み板の右端には前阻み板が固定的に設置され、前記上阻み板の中には上方へ開口したショック吸収チャンバが設置され、前記ショック吸収チャンバの中には耐圧板がスライドできるように設置され、前記耐圧板の下端と前記ショック吸収チャンバの下壁にはショック吸収ばねが固定的に設置され、前記ショック吸収チャンバの左壁の中にはリミット溝が連通するように設置され、前記リミット溝の中には前記耐圧板の左端に固定的に連結されているリミットブロックがスライドできるように設置され、前記上阻み板の下端面にはサイド阻み板が前後対称的に、且つ固定的に設置され、前記サイド阻み板のうち中心に近接している側の端面の下端には開口が向き合っている反転チャンバが設置され、前記反転チャンバの中には反転板が反転できるように設置され、前記反転板の上端と前記反転チャンバの上壁との間にはトルクばねが固定的に連結され、前記靴底の中には開口が逆方向である引っ掛かりチャンバが前後対称的に設置され、前記反転板の一端が前記引っ掛かりチャンバの中まで反転し、且つ隣り合っている前記反転板との間には第一引き糸が固定的に連結され、前記サイド阻み板が前記靴底の前後両側に装着され、且つ側面の保護を行い、前記前阻み板がつま先を保護し、前記上阻み板と前記耐圧板は足の甲を保護することを特徴とする工場用の安全靴。
【請求項２】
前記ゴムひも装置は前記上阻み板の中に設置されている縄巻きチャンバを含み、前記縄巻きチャンバの中の上下両側には回転盤が回転できるように設置され、前記回転盤のうち中心から離れている一端と前記縄巻きチャンバの内壁との間には発条ばねが固定的に連結され、前記回転盤の間には縄巻き軸が固定的に連結され、前記縄巻きチャンバの後側には外部空間に連通しているスライドチャンバが連通するように設置され、前記ゴムひもが前記スライドチャンバを通して前記縄巻き軸に巻き付いており、上側の前記回転盤の外円周面の中には引っ掛かり溝が環状に排列され、且つ上下に貫通するように設置され、上側の前記回転盤には前記縄巻きチャンバの左右壁に回転できるように連結されている引っ掛かりロッドが前後対称的に設置され、前記縄巻きチャンバの上側には昇降チャンバが設置され、前記昇降チャンバの中には昇降板がスライドできるように設置され、前記昇降板の下端面には固定ロッドが前後対称的に、且つ固定的に設置され、前記固定ロッドの下端が前記縄巻きチャンバの中にスライドして伸びており、且つ前記引っ掛かりロッドの上端にヒンジにより連結され、前記昇降板が下降して前記引っ掛かりロッドの下端を連動させて前記引っ掛かり溝から反転させて出すことができ、この時、前記ゴムひものきつさを調節できることを特徴とする請求項１に記載の工場用の安全靴。
【請求項３】
前記バックル装置は前記上阻み板の前端面の中に設置されている空きチャンバを含み、前記空きチャンバの中には前記ゴムひもの一端に固定的に連結されているバックルが設置され、前記バックルの中にはロックチャンバが設置され、前記ロックチャンバの後壁には後方へ開口した開口が連通するように設置され、前記空きチャンバの後壁にはロックブロックが固定的に設置され、前記ロックブロックと前記上阻み板の中には引きロッドチャンバが連通するように設置され、前記引きロッドチャンバの中には引きロッドがスライドできるように設置され、前記引きロッドの中には上方へ開口した凹溝が設置され、前記引きロッドチャンバの前側にはコンロッドチャンバが連通するように設置され、前記引きロッドの前端が前記コンロッドチャンバの中に伸びており、且つコンロッドが上下対称的に、且つ回転できるように設置され、前記コンロッドチャンバの上下両側には開口が前記コンロッドチャンバから離れているロックロッドチャンバが対称的に、且つ連通するように設置され、前記ロックロッドチャンバの中にはロックロッドが反転できるように設置され、前記コンロッドの一端が前記ロックロッドの後端にヒンジにより連結され、前記ロックロッドのうち対称中心に近接している一端と前記ロックロッドチャンバの内壁との間には反転ばねが固定的に連結され、前記ロックロッドの後端と前記ロックチャンバの後壁とが当接してロックされ、前記ロックロッドを前記ロックロッドチャンバの中まで反転させれば解錠できることを特徴とする請求項１に記載の工場用の安全靴。
【請求項４】
前記解錠装置は前記ショック吸収チャンバの左側に設置されている押しチャンバを含み、前記押しチャンバの中には押し板がスライドできるように設置され、前記押しチャンバの下側には伝動チャンバが設置され、前記押し板の下端の中間には押しロッドが固定的に設置され、前記押しロッドの前後端面の中にはラックが対称的に、且つ固定的に設置され、前記ラックの反対側にはギヤが噛み合うように設置され、前記ギヤの左端にはリールが固定的に連結され、前記リールには第二引き糸が巻きつくように設置され、前記第二引き糸の一端が右側の前記反転板のうち回転中心から離れている一端に固定的に連結され、前記押し板の下端面には一端が前記昇降板に固定的に連結されている推しロッドが固定的に設置され、前記押しチャンバの下壁と前記引きロッドチャンバとの間には突き動かしロッドチャンバが連通するように設置され、前記突き動かしロッドチャンバの中には前記押し板に固定的に連結されている突き動かしロッドがスライドできるように設置され、前記押し板の下端と前記押しチャンバの下壁との間には耐圧ばねが固定的に連結され、前記押し板の異なる位置を押して前記バックル装置と、前記ゴムひも装置と、本装置全体とをそれぞれ解錠することを特徴とする請求項１に記載の工場用の安全靴。
【発明の詳細な説明】
【技術分野】
【０００１】
本発明は安全防護技術分野を取り上げて、具体的には工場用の安全靴である。
【背景技術】
【０００２】
安全靴は足を保護することを目的とした靴であり、多くの工場や工事現場では安全靴を履く必要があり、しかし、普通の安全靴は一般的な硬質の靴の甲を通じて足先への重量物の落下から足を守り、しかし、衝撃力が大きすぎるとやはり足を傷つけ、そのため、工場用の安全靴が必要となり、本装置は斜面に装着されたショック吸収装置と硬質の靴の甲との二つの手段により足を守り、同時に履きやすくて脱ぎやすく、しかも洗いやすく、使用がとても便利である。
【先行技術文献】
【特許文献】
【０００３】
【特許文献１】中国特許出願公開第１０７９６９７４６号明細書
【発明の概要】
【発明が解決しようとする課題】
【０００４】
本発明は工場用の安全靴を提供し、従来技術における上記欠点を解消することを目的とする。
【課題を解決するための手段】
【０００５】
本発明の工場用の安全靴は、靴主体を含み、前記靴主体の下端には靴底が固定的に設置され、前記靴主体の左端にはプルストラップが設置され、前記靴主体の靴の甲の外側には耐衝撃装置が設置され、前記耐衝撃装置の中にはゴムひも装置と、バックル装置と、解錠装置とが設置され、前記耐衝撃装置は前記靴底に装着され、前記ゴムひも装置はゴムひもを調節でき、前記バックル装置はロックを行い、前記解錠装置は解錠を行い、且つ前記耐衝撃装置を取り外すことができ、前記耐衝撃装置は前記靴主体の靴の甲の上側に設置されている上阻み板を含み、前記上阻み板の右端には前阻み板が固定的に設置され、前記上阻み板の中には上方へ開口したショック吸収チャンバが設置され、前記ショック吸収チャンバの中には耐圧板がスライドできるように設置され、前記耐圧板の下端と前記ショック吸収チャンバの下壁にはショック吸収ばねが固定的に設置され、前記ショック吸収チャンバの左壁の中にはリミット溝が連通するように設置され、前記リミット溝の中には前記耐圧板の左端に固定的に連結されているリミットブロックがスライドできるように設置され、前記上阻み板の下端面にはサイド阻み板が前後対称的に、且つ固定的に設置され、前記サイド阻み板のうち中心に近接している側の端面の下端には開口が向き合っている反転チャンバが設置され、前記反転チャンバの中には反転板が反転できるように設置され、前記反転板の上端と前記反転チャンバの上壁との間にはトルクばねが固定的に連結され、前記靴底の中には開口が逆方向である引っ掛かりチャンバが前後対称的に設置され、前記反転板の一端が前記引っ掛かりチャンバの中まで反転し、且つ隣り合っている前記反転板との間には第一引き糸が固定的に連結され、前記サイド阻み板が前記靴底の前後両側に装着され、且つ側面の保護を行い、前記前阻み板がつま先を保護し、前記上阻み板と前記耐圧板は足の甲を保護する。
【０００６】
更の技術プランとしては、前記ゴムひも装置は前記上阻み板の中に設置されている縄巻きチャンバを含み、前記縄巻きチャンバの中の上下両側には回転盤が回転できるように設置され、前記回転盤のうち中心から離れている一端と前記縄巻きチャンバの内壁との間には発条ばねが固定的に連結され、前記回転盤の間には縄巻き軸が固定的に連結され、前記縄巻きチャンバの後側には外部空間に連通しているスライドチャンバが連通するように設置され、前記ゴムひもが前記スライドチャンバを通して前記縄巻き軸に巻き付いており、上側の前記回転盤の外円周面の中には引っ掛かり溝が環状に排列され、且つ上下に貫通するように設置され、上側の前記回転盤には前記縄巻きチャンバの左右壁に回転できるように連結されている引っ掛かりロッドが前後対称的に設置され、前記縄巻きチャンバの上側には昇降チャンバが設置され、前記昇降チャンバの中には昇降板がスライドできるように設置され、前記昇降板の下端面には固定ロッドが前後対称的に、且つ固定的に設置され、前記固定ロッドの下端が前記縄巻きチャンバの中にスライドして伸びており、且つ前記引っ掛かりロッドの上端にヒンジにより連結され、前記昇降板が下降して前記引っ掛かりロッドの下端を連動させて前記引っ掛かり溝から反転させて出すことができ、この時、前記ゴムひものきつさを調節できる。
【０００７】
更の技術プランとしては、前記バックル装置は前記上阻み板の前端面の中に設置されている空きチャンバを含み、前記空きチャンバの中には前記ゴムひもの一端に固定的に連結されているバックルが設置され、前記バックルの中にはロックチャンバが設置され、前記ロックチャンバの後壁には後方へ開口した開口が連通するように設置され、前記空きチャンバの後壁にはロックブロックが固定的に設置され、前記ロックブロックと前記上阻み板の中には引きロッドチャンバが連通するように設置され、前記引きロッドチャンバの中には引きロッドがスライドできるように設置され、前記引きロッドの中には上方へ開口した凹溝が設置され、前記引きロッドチャンバの前側にはコンロッドチャンバが連通するように設置され、前記引きロッドの前端が前記コンロッドチャンバの中に伸びており、且つコンロッドが上下対称的に、且つ回転できるように設置され、前記コンロッドチャンバの上下両側には開口が前記コンロッドチャンバから離れているロックロッドチャンバが対称的に、且つ連通するように設置され、前記ロックロッドチャンバの中にはロックロッドが反転できるように設置され、前記コンロッドの一端が前記ロックロッドの後端にヒンジにより連結され、前記ロックロッドのうち対称中心に近接している一端と前記ロックロッドチャンバの内壁との間には反転ばねが固定的に連結され、前記ロックロッドの後端と前記ロックチャンバの後壁とが当接してロックされ、前記ロックロッドを前記ロックロッドチャンバの中まで反転させれば解錠できる。
【０００８】
更の技術プランとしては、前記解錠装置は前記ショック吸収チャンバの左側に設置されている押しチャンバを含み、前記押しチャンバの中には押し板がスライドできるように設置され、前記押しチャンバの下側には伝動チャンバが設置され、前記押し板の下端の中間には押しロッドが固定的に設置され、前記押しロッドの前後端面の中にはラックが対称的に、且つ固定的に設置され、前記ラックの反対側にはギヤが噛み合うように設置され、前記ギヤの左端にはリールが固定的に連結され、前記リールには第二引き糸が巻きつくように設置され、前記第二引き糸の一端が右側の前記反転板のうち回転中心から離れている一端に固定的に連結され、前記押し板の下端面には一端が前記昇降板に固定的に連結されている推しロッドが固定的に設置され、前記押しチャンバの下壁と前記引きロッドチャンバとの間には突き動かしロッドチャンバが連通するように設置され、前記突き動かしロッドチャンバの中には前記押し板に固定的に連結されている突き動かしロッドがスライドできるように設置され、前記押し板の下端と前記押しチャンバの下壁との間には耐圧ばねが固定的に連結され、前記押し板の異なる位置を押して前記バックル装置と、前記ゴムひも装置と、本装置全体とをそれぞれ解錠する。
【発明の効果】
【０００９】
本発明の有益効果は：本発明は構成が簡単で、操作が便利で、本装置により効果的に足先への重量物の落下から足を守り、同時に取り外すことができ、靴を洗うことに便利であり、同時に需要に応じて履き口のきつさを調節でき、使用がとても便利である。
【図面の簡単な説明】
【００１０】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の工場用の安全靴の内部全体構成模式図
【図２】図２は図１の「Ａ−Ａ」方向の構成模式図
【図３】図３は図２の「Ｂ−Ｂ」方向の構成模式図
【図４】図４は図２の「Ｃ」の拡大模式図
【図５】図５は図２の「Ｄ」の拡大模式図
【発明を実施するための形態】
【００１２】
以下に図１〜５を交えて本発明について詳しく説明する。
【００１３】
図１〜５を参照し、本発明の実施例の工場用の安全靴は、靴主体１１を含み、前記靴主体１１の下端には靴底１２が固定的に設置され、前記靴主体１１の左端にはプルストラップ１４が設置され、前記靴主体１１の靴の甲の外側には耐衝撃装置１０１が設置され、前記耐衝撃装置１０１の中にはゴムひも装置１０２と、バックル装置１０３と、解錠装置１０４とが設置され、前記耐衝撃装置１０１は前記靴底１２に装着され、前記ゴムひも装置１０２はゴムひも１３を調節でき、前記バックル装置１０３はロックを行い、前記解錠装置１０４は解錠を行い、且つ前記耐衝撃装置１０１を取り外すことができ、前記耐衝撃装置１０１は前記靴主体１１の靴の甲の上側に設置されている上阻み板１５を含み、前記上阻み板１５の右端には前阻み板１６が固定的に設置され、前記上阻み板１５の中には上方へ開口したショック吸収チャンバ１７が設置され、前記ショック吸収チャンバ１７の中には耐圧板１８がスライドできるように設置され、前記耐圧板１８の下端と前記ショック吸収チャンバ１７の下壁にはショック吸収ばね１９が固定的に設置され、前記ショック吸収チャンバ１７の左壁の中にはリミット溝２０が連通するように設置され、前記リミット溝２０の中には前記耐圧板１８の左端に固定的に連結されているリミットブロック６２がスライドできるように設置され、前記上阻み板１５の下端面にはサイド阻み板２１が前後対称的に、且つ固定的に設置され、前記サイド阻み板２１のうち中心に近接している側の端面の下端には開口が向き合っている反転チャンバ２２が設置され、前記反転チャンバ２２の中には反転板２３が反転できるように設置され、前記反転板２３の上端と前記反転チャンバ２２の上壁との間にはトルクばね２４が固定的に連結され、前記靴底１２の中には開口が逆方向である引っ掛かりチャンバ２５が前後対称的に設置され、前記反転板２３の一端が前記引っ掛かりチャンバ２５の中まで反転し、且つ隣り合っている前記反転板２３との間には第一引き糸２６が固定的に連結され、前記サイド阻み板２１が前記靴底１２の前後両側に装着され、且つ側面の保護を行い、前記前阻み板１６がつま先を保護し、前記上阻み板１５と前記耐圧板１８は足の甲を保護する。
【００１４】
有益的には、前記ゴムひも装置１０２は前記上阻み板１５の中に設置されている縄巻きチャンバ２７を含み、前記縄巻きチャンバ２７の中の上下両側には回転盤２８が回転できるように設置され、前記回転盤２８のうち中心から離れている一端と前記縄巻きチャンバ２７の内壁との間には発条ばね２９が固定的に連結され、前記回転盤２８の間には縄巻き軸３０が固定的に連結され、前記縄巻きチャンバ２７の後側には外部空間に連通しているスライドチャンバ３１が連通するように設置され、前記ゴムひも１３が前記スライドチャンバ３１を通して前記縄巻き軸３０に巻き付いており、上側の前記回転盤２８の外円周面の中には引っ掛かり溝３２が環状に排列され、且つ上下に貫通するように設置され、上側の前記回転盤２８には前記縄巻きチャンバ２７の左右壁に回転できるように連結されている引っ掛かりロッド３３が前後対称的に設置され、前記縄巻きチャンバ２７の上側には昇降チャンバ３４が設置され、前記昇降チャンバ３４の中には昇降板３５がスライドできるように設置され、前記昇降板３５の下端面には固定ロッド３６が前後対称的に、且つ固定的に設置され、前記固定ロッド３６の下端が前記縄巻きチャンバ２７の中にスライドして伸びており、且つ前記引っ掛かりロッド３３の上端にヒンジにより連結され、前記昇降板３５が下降して前記引っ掛かりロッド３３の下端を連動させて前記引っ掛かり溝３２から反転させて出すことができ、この時、前記ゴムひも１３のきつさを調節できる。
【００１５】
有益的には、前記バックル装置１０３は前記上阻み板１５の前端面の中に設置されている空きチャンバ３７を含み、前記空きチャンバ３７の中には前記ゴムひも１３の一端に固定的に連結されているバックル３８が設置され、前記バックル３８の中にはロックチャンバ３９が設置され、前記ロックチャンバ３９の後壁には後方へ開口した開口４０が連通するように設置され、前記空きチャンバ３７の後壁にはロックブロック４１が固定的に設置され、前記ロックブロック４１と前記上阻み板１５の中には引きロッドチャンバ４２が連通するように設置され、前記引きロッドチャンバ４２の中には引きロッド４３がスライドできるように設置され、前記引きロッド４３の中には上方へ開口した凹溝４４が設置され、前記引きロッドチャンバ４２の前側にはコンロッドチャンバ４５が連通するように設置され、前記引きロッド４３の前端が前記コンロッドチャンバ４５の中に伸びており、且つコンロッド４７が上下対称的に、且つ回転できるように設置され、前記コンロッドチャンバ４５の上下両側には開口が前記コンロッドチャンバ４５から離れているロックロッドチャンバ４６が対称的に、且つ連通するように設置され、前記ロックロッドチャンバ４６の中にはロックロッド４８が反転できるように設置され、前記コンロッド４７の一端が前記ロックロッド４８の後端にヒンジにより連結され、前記ロックロッド４８のうち対称中心に近接している一端と前記ロックロッドチャンバ４６の内壁との間には反転ばね４９が固定的に連結され、前記ロックロッド４８の後端と前記ロックチャンバ３９の後壁とが当接してロックされ、前記ロックロッド４８を前記ロックロッドチャンバ４６の中まで反転させれば解錠できる。
【００１６】
有益的には、前記解錠装置１０４は前記ショック吸収チャンバ１７の左側に設置されている押しチャンバ５０を含み、前記押しチャンバ５０の中には押し板５１がスライドできるように設置され、前記押しチャンバ５０の下側には伝動チャンバ５２が設置され、前記押し板５１の下端の中間には押しロッド５３が固定的に設置され、前記押しロッド５３の前後端面の中にはラック５４が対称的に、且つ固定的に設置され、前記ラック５４の反対側にはギヤ５５が噛み合うように設置され、前記ギヤ５５の左端にはリール５６が固定的に連結され、前記リール５６には第二引き糸５７が巻きつくように設置され、前記第二引き糸５７の一端が右側の前記反転板２３のうち回転中心から離れている一端に固定的に連結され、前記押し板５１の下端面には一端が前記昇降板３５に固定的に連結されている推しロッド５８が固定的に設置され、前記押しチャンバ５０の下壁と前記引きロッドチャンバ４２との間には突き動かしロッドチャンバ６０が連通するように設置され、前記突き動かしロッドチャンバ６０の中には前記押し板５１に固定的に連結されている突き動かしロッド６１がスライドできるように設置され、前記押し板５１の下端と前記押しチャンバ５０の下壁との間には耐圧ばね５９が固定的に連結され、前記押し板５１の異なる位置を押して前記バックル装置１０３と、前記ゴムひも装置１０２と、本装置全体とをそれぞれ解錠する。
【００１７】
初期状態において、反転板２３が引っ掛かりチャンバ２５の中に位置しており、バックル３８が空きチャンバ３７の中にロックされ、引っ掛かりロッド３３が引っ掛かり溝３２の中に引っ掛かる。
【００１８】
履き口のきつさを調節し、押し板５１の後端を押し、推しロッド５８により昇降板３５と固定ロッド３６とを連動させて下降させ、引っ掛かりロッド３３の下端が反転して引っ掛かり溝３２から出て、ゴムひも１３を適当な長さまで引き動かして押し板５１を放し、
バックル３８を解錠する時、押し板５１の前端を押して突き動かしロッド６１を連動させて下降させ、突き動かしロッド６１の下端が凹溝４４の中に伸びて引きロッド４３を連動させて後方へ移動させ、コンロッド４７がロックロッド４８の後端を引き動かして内方へロックロッドチャンバ４６の中まで反転させ、この時、バックル３８を取り出すことができ、上阻み板１５を取り外す時、押し板５１の中間を押して押しロッド５３と、推しロッド５８と、突き動かしロッド６１とを連動させて下降させ、この時、バックル３８が解錠され、ゴムひも１３が発条ばね２９の捻り力のもとで自動的に縄巻き軸３０に巻き付き、ラック５４が下降してギヤ５５とリール５６とを連動させて回転させ、第二引き糸５７と第一引き糸２６により反転板２３を引き動かして反転チャンバ２２の中まで反転させ、この時、上阻み板１５を取り外すことができ、装着する時、サイド阻み板２１を靴底１２の前後両側に沿って右方から左方へスライドさせ、押し板５１の後端を押し、バックル３８を引き動かしてプルストラップ１４に通して空きチャンバ３７の中にロックする。
【００１９】
本発明の有益効果は：本発明は構成が簡単で、操作が便利で、本装置により効果的に足先への重量物の落下から足を守り、同時に取り外すことができ、靴を洗うことに便利であり、同時に需要に応じて履き口のきつさを調節でき、使用がとても便利である。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175132.tif 000003
【図２】
2020175132.tif 000004
【図３】
2020175132.tif 000005
【図４】
2020175132.tif 000006
【図５】
2020175132.tif 000007
【手続補正書】
【提出日】令和2年4月30日(2020.4.30)
【手続補正１】
【補正対象書類名】特許請求の範囲
【補正対象項目名】全文
【補正方法】変更
【補正の内容】
【特許請求の範囲】
【請求項１】
正面視で、靴主体を含み、前記靴主体の下端には靴底が固定的に設置され、前記靴主体の左端にはプルストラップが設置され、前記靴主体の靴の甲の外側には耐衝撃装置が設置され、前記耐衝撃装置の中にはゴムひも装置と、バックル装置と、解錠装置とが設置され、前記耐衝撃装置は前記靴底に装着され、前記ゴムひも装置はゴムひもを調節でき、前記バックル装置はロックを行い、前記解錠装置は解錠を行い、且つ前記耐衝撃装置を取り外すことができ、前記耐衝撃装置は前記靴主体の靴の甲の上側に設置されている上阻み板を含み、前記上阻み板の右端には前阻み板が固定的に設置され、前記上阻み板の中には上方へ開口したショック吸収チャンバが設置され、前記ショック吸収チャンバの中には耐圧板が上下方向へスライドできるように設置され、前記耐圧板の下端と前記ショック吸収チャンバの下壁にはショック吸収ばねが固定的に設置され、前記ショック吸収チャンバの左壁の中にはリミット溝が連通するように設置され、前記リミット溝の中には前記耐圧板の左端に固定的に連結されているリミットブロックがスライドできるように設置され、前記上阻み板の下端面にはサイド阻み板が前後対称的に、且つ固定的に設置され、前記サイド阻み板のうち中心に近接している側の端面の下端には開口が向き合っている反転チャンバが設置され、前後二つの前記反転チャンバの中には直線に配列された五つの反転板が反転できるように設置され、前記反転板の上端と前記反転チャンバの上壁との間にはトルクばねが固定的に連結され、前記靴底の中には靴底の中心から離れた側へ開口した引っ掛かりチャンバが前後対称的に設置され、前記反転板の一端が前記引っ掛かりチャンバの中まで反転し、且つ隣り合っている前記反転板との間には第一引き糸が固定的に連結され、前記サイド阻み板が前記靴底の前後両側に装着され、且つ側面の保護を行い、前記前阻み板がつま先を保護し、前記上阻み板と前記耐圧板は足の甲を保護することを特徴とする工場用の安全靴。
【請求項２】
前記ゴムひも装置は前記上阻み板の中に設置されている縄巻きチャンバを含み、前記縄巻きチャンバの中の上下両側には回転盤が回転できるように設置され、前記回転盤のうち前記縄巻き軸の中心から離れている一端と前記縄巻きチャンバの内壁との間には発条ばねが固定的に連結され、前記回転盤の間には縄巻き軸が固定的に連結され、前記縄巻きチャンバの後側には外部空間に連通しているスライドチャンバが連通するように設置され、前記ゴムひもが前記スライドチャンバを通して前記縄巻き軸に巻き付いており、上側の前記回転盤の外円周面の中には引っ掛かり溝が環状に配列され、且つ上下に貫通するように設置され、上側の前記回転盤には前記縄巻きチャンバの左右壁に回転できるように連結されている引っ掛かりロッドが前後対称的に設置され、前記縄巻きチャンバの上側には昇降チャンバが設置され、前記昇降チャンバの中には昇降板がスライドできるように設置され、前記昇降板の下端面には固定ロッドが前後対称的に、且つ固定的に設置され、前記固定ロッドの下端が前記縄巻きチャンバの中に延びており、且つ前記引っ掛かりロッドの上端にヒンジにより連結され、前記昇降板が下降して前記引っ掛かりロッドの下端を連動させて前記引っ掛かり溝から反転させて出すことができ、この時、前記ゴムひものきつさを調節できることを特徴とする請求項１に記載の工場用の安全靴。
【請求項３】
前記バックル装置は前記上阻み板の前端面の中に設置されている空きチャンバを含み、前記空きチャンバの中には前記ゴムひもの一端に固定的に連結されているバックルが設置され、前記バックルの中にはロックチャンバが設置され、前記ロックチャンバの後壁には後方へ開口した開口が連通するように設置され、前記空きチャンバの後壁にはロックブロックが固定的に設置され、前記ロックブロックと前記上阻み板の中には引きロッドチャンバが連通するように設置され、前記引きロッドチャンバの中には引きロッドがスライドできるように設置され、前記引きロッドの中には上方へ開口した凹溝が設置され、前記凹溝の後ろ側面は斜面となっており、前記引きロッドチャンバの前側にはコンロッドチャンバが連通するように設置され、前記引きロッドの前端が前記コンロッドチャンバの中に伸びており、且つコンロッドが上下対称的に、且つ回転できるように設置され、前記コンロッドチャンバの上下両側には開口が前記コンロッドチャンバから離れているロックロッドチャンバが対称的に、且つ連通するように設置され、前記ロックロッドチャンバの中にはロックロッドが反転できるように設置され、前記コンロッドの一端が前記ロックロッドの後端にヒンジにより連結され、前記ロックロッドのうち対称中心に近接している一端と前記ロックロッドチャンバの内壁との間には反転ばねが固定的に連結され、前記ロックロッドの後端と前記ロックチャンバの後壁とが当接してロックされ、前記ロックロッドを前記ロックロッドチャンバの中まで反転させれば解錠でき、
前記解錠装置は前記ショック吸収チャンバの左側に設置されている押しチャンバを含み、前記押しチャンバの中には軟質の押し板がスライドできるように設置され、前記押しチャンバの下側には伝動チャンバが設置され、前記押し板の下端の中間には押しロッドが固定的に設置され、前記押しロッドの前後端面の中にはラックが対称的に、且つ固定的に設置され、前記ラックの反対側にはギヤが噛み合うように設置され、前記ギヤの左端にはリールが固定的に連結され、前記リールには第二引き糸が巻きつくように設置され、前記第二引き糸の一端が右側の前記反転板のうち回転中心から離れている一端に固定的に連結され、前記押し板の下端面には一端が前記昇降板に固定的に連結されている推しロッドが固定的に設置され、前記押しチャンバの下壁と前記引きロッドチャンバとの間には突き動かしロッドチャンバが連通するように設置され、前記突き動かしロッドチャンバの中には前記押し板に固定的に連結されている突き動かしロッドがスライドできるように設置され、前記押し板の下端と前記押しチャンバの下壁との間には耐圧ばねが固定的に連結され、前記押し板の異なる位置を押して前記バックル装置と、前記ゴムひも装置と、本装置全体とをそれぞれ解錠することを特徴とする請求項１に記載の工場用の安全靴。
【手続補正２】
【補正対象書類名】明細書
【補正対象項目名】全文
【補正方法】変更
【補正の内容】
【発明の詳細な説明】
【技術分野】
【０００１】
本発明は安全防護技術分野を取り上げて、具体的には工場用の安全靴である。
【背景技術】
【０００２】
安全靴は足を保護することを目的とした靴であり、多くの工場や工事現場では安全靴を履く必要があり、しかし、普通の安全靴は一般的な硬質の靴の甲を通じて足先への重量物の落下から足を守り、しかし、衝撃力が大きすぎるとやはり足を傷つけ、そのため、工場用の安全靴が必要となり、本装置は斜面に装着されたショック吸収装置と硬質の靴の甲との二つの手段により足を守り、同時に履きやすくて脱ぎやすく、しかも洗いやすく、使用がとても便利である。
【先行技術文献】
【特許文献】
【０００３】
【特許文献１】中国特許出願公開第１０７９６９７４６号明細書
【発明の概要】
【発明が解決しようとする課題】
【０００４】
本発明は工場用の安全靴を提供し、従来技術における上記欠点を解消することを目的とする。
【課題を解決するための手段】
【０００５】
本発明の工場用の安全靴は、靴主体を含み、前記靴主体の下端には靴底が固定的に設置され、前記靴主体の左端にはプルストラップが設置され、前記靴主体の靴の甲の外側には耐衝撃装置が設置され、前記耐衝撃装置の中にはゴムひも装置と、バックル装置と、解錠装置とが設置され、前記耐衝撃装置は前記靴底に装着され、前記ゴムひも装置はゴムひもを調節でき、前記バックル装置はロックを行い、前記解錠装置は解錠を行い、且つ前記耐衝撃装置を取り外すことができ、前記耐衝撃装置は前記靴主体の靴の甲の上側に設置されている上阻み板を含み、前記上阻み板の右端には前阻み板が固定的に設置され、前記上阻み板の中には上方へ開口したショック吸収チャンバが設置され、前記ショック吸収チャンバの中には耐圧板が上下方向へスライドできるように設置され、前記耐圧板の下端と前記ショック吸収チャンバの下壁にはショック吸収ばねが固定的に設置され、前記ショック吸収チャンバの左壁の中にはリミット溝が連通するように設置され、前記リミット溝の中には前記耐圧板の左端に固定的に連結されているリミットブロックがスライドできるように設置され、前記上阻み板の下端面にはサイド阻み板が前後対称的に、且つ固定的に設置され、前記サイド阻み板のうち中心に近接している側の端面の下端には開口が向き合っている反転チャンバが設置され、前後二つの前記反転チャンバの中には直線に配列された五つの反転板が反転できるように設置され、前記反転板の上端と前記反転チャンバの上壁との間にはトルクばねが固定的に連結され、前記靴底の中には靴底の中心から離れた側へ開口した引っ掛かりチャンバが前後対称的に設置され、前記反転板の一端が前記引っ掛かりチャンバの中まで反転し、且つ隣り合っている前記反転板との間には第一引き糸が固定的に連結され、前記サイド阻み板が前記靴底の前後両側に装着され、且つ側面の保護を行い、前記前阻み板がつま先を保護し、前記上阻み板と前記耐圧板は足の甲を保護する。
【０００６】
更の技術プランとしては、前記ゴムひも装置は前記上阻み板の中に設置されている縄巻きチャンバを含み、前記縄巻きチャンバの中の上下両側には回転盤が回転できるように設置され、前記回転盤のうち前記縄巻き軸の中心から離れている一端と前記縄巻きチャンバの内壁との間には発条ばねが固定的に連結され、前記回転盤の間には縄巻き軸が固定的に連結され、前記縄巻きチャンバの後側には外部空間に連通しているスライドチャンバが連通するように設置され、前記ゴムひもが前記スライドチャンバを通して前記縄巻き軸に巻き付いており、上側の前記回転盤の外円周面の中には引っ掛かり溝が環状に配列され、且つ上下に貫通するように設置され、上側の前記回転盤には前記縄巻きチャンバの左右壁に回転できるように連結されている引っ掛かりロッドが前後対称的に設置され、前記縄巻きチャンバの上側には昇降チャンバが設置され、前記昇降チャンバの中には昇降板がスライドできるように設置され、前記昇降板の下端面には固定ロッドが前後対称的に、且つ固定的に設置され、前記固定ロッドの下端が前記縄巻きチャンバの中に延びており、且つ前記引っ掛かりロッドの上端にヒンジにより連結され、前記昇降板が下降して前記引っ掛かりロッドの下端を連動させて前記引っ掛かり溝から反転させて出すことができ、この時、前記ゴムひものきつさを調節できる。
【０００７】
更の技術プランとしては、前記バックル装置は前記上阻み板の前端面の中に設置されている空きチャンバを含み、前記空きチャンバの中には前記ゴムひもの一端に固定的に連結されているバックルが設置され、前記バックルの中にはロックチャンバが設置され、前記ロックチャンバの後壁には後方へ開口した開口が連通するように設置され、前記空きチャンバの後壁にはロックブロックが固定的に設置され、前記ロックブロックと前記上阻み板の中には引きロッドチャンバが連通するように設置され、前記引きロッドチャンバの中には引きロッドがスライドできるように設置され、前記引きロッドの中には上方へ開口した凹溝が設置され、前記凹溝の後ろ側面は斜面となっており、前記引きロッドチャンバの前側にはコンロッドチャンバが連通するように設置され、前記引きロッドの前端が前記コンロッドチャンバの中に伸びており、且つコンロッドが上下対称的に、且つ回転できるように設置され、前記コンロッドチャンバの上下両側には開口が前記コンロッドチャンバから離れているロックロッドチャンバが対称的に、且つ連通するように設置され、前記ロックロッドチャンバの中にはロックロッドが反転できるように設置され、前記コンロッドの一端が前記ロックロッドの後端にヒンジにより連結され、前記ロックロッドのうち対称中心に近接している一端と前記ロックロッドチャンバの内壁との間には反転ばねが固定的に連結され、前記ロックロッドの後端と前記ロックチャンバの後壁とが当接してロックされ、前記ロックロッドを前記ロックロッドチャンバの中まで反転させれば解錠できる。
【０００８】
更の技術プランとしては、前記解錠装置は前記ショック吸収チャンバの左側に設置されている押しチャンバを含み、前記押しチャンバの中には軟質の押し板がスライドできるように設置され、前記押しチャンバの下側には伝動チャンバが設置され、前記押し板の下端の中間には押しロッドが固定的に設置され、前記押しロッドの前後端面の中にはラックが対称的に、且つ固定的に設置され、前記ラックの反対側にはギヤが噛み合うように設置され、前記ギヤの左端にはリールが固定的に連結され、前記リールには第二引き糸が巻きつくように設置され、前記第二引き糸の一端が右側の前記反転板のうち回転中心から離れている一端に固定的に連結され、前記押し板の下端面には一端が前記昇降板に固定的に連結されている推しロッドが固定的に設置され、前記押しチャンバの下壁と前記引きロッドチャンバとの間には突き動かしロッドチャンバが連通するように設置され、前記突き動かしロッドチャンバの中には前記押し板に固定的に連結されている突き動かしロッドがスライドできるように設置され、前記押し板の下端と前記押しチャンバの下壁との間には耐圧ばねが固定的に連結され、前記押し板の異なる位置を押して前記バックル装置と、前記ゴムひも装置と、本装置全体とをそれぞれ解錠する。
【発明の効果】
【０００９】
本発明の有益効果は：本発明は構成が簡単で、操作が便利で、本装置により効果的に足先への重量物の落下から足を守り、同時に取り外すことができ、靴を洗うことに便利であり、同時に需要に応じて履き口のきつさを調節でき、使用がとても便利である。
【図面の簡単な説明】
【００１０】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の工場用の安全靴の内部全体構成模式図
【図２】図２は図１の「Ａ−Ａ」方向の構成模式図
【図３】図３は図２の「Ｂ−Ｂ」方向の構成模式図
【図４】図４は図２の「Ｃ」の拡大模式図
【図５】図５は図２の「Ｄ」の拡大模式図
【発明を実施するための形態】
【００１２】
以下に図１〜５を交えて本発明について詳しく説明する。
【００１３】
図１〜５を参照し、本発明の実施例の工場用の安全靴は、靴主体１１を含み、前記靴主体１１の下端には靴底１２が固定的に設置され、前記靴主体１１の左端にはプルストラップ１４が設置され、前記靴主体１１の靴の甲の外側には耐衝撃装置１０１が設置され、前記耐衝撃装置１０１の中にはゴムひも装置１０２と、バックル装置１０３と、解錠装置１０４とが設置され、前記耐衝撃装置１０１は前記靴底１２に装着され、前記ゴムひも装置１０２はゴムひも１３を調節でき、前記バックル装置１０３はロックを行い、前記解錠装置１０４は解錠を行い、且つ前記耐衝撃装置１０１を取り外すことができ、前記耐衝撃装置１０１は前記靴主体１１の靴の甲の上側に設置されている上阻み板１５を含み、前記上阻み板１５の右端には前阻み板１６が固定的に設置され、前記上阻み板１５の中には上方へ開口したショック吸収チャンバ１７が設置され、前記ショック吸収チャンバ１７の中には耐圧板１８が上下方向へスライドできるように設置され、前記耐圧板１８の下端と前記ショック吸収チャンバ１７の下壁にはショック吸収ばね１９が固定的に設置され、前記ショック吸収チャンバ１７の左壁の中にはリミット溝２０が連通するように設置され、前記リミット溝２０の中には前記耐圧板１８の左端に固定的に連結されているリミットブロック６２がスライドできるように設置され、前記上阻み板１５の下端面にはサイド阻み板２１が前後対称的に、且つ固定的に設置され、前記サイド阻み板２１のうち中心に近接している側の端面の下端には開口が向き合っている反転チャンバ２２が設置され、前後二つの前記反転チャンバ２２の中には直線に配列された五つの反転板２３が反転できるように設置され、前記反転板２３の上端と前記反転チャンバ２２の上壁との間にはトルクばね２４が固定的に連結され、前記靴底１２の中には靴底１２の中心から離れた側へ開口した引っ掛かりチャンバ２５が前後対称的に設置され、前記反転板２３の一端が前記引っ掛かりチャンバ２５の中まで反転し、且つ隣り合っている前記反転板２３との間には第一引き糸２６が固定的に連結され、前記サイド阻み板２１が前記靴底１２の前後両側に装着され、且つ側面の保護を行い、前記前阻み板１６がつま先を保護し、前記上阻み板１５と前記耐圧板１８は足の甲を保護する。
【００１４】
有益的には、前記ゴムひも装置１０２は前記上阻み板１５の中に設置されている縄巻きチャンバ２７を含み、前記縄巻きチャンバ２７の中の上下両側には回転盤２８が回転できるように設置され、前記回転盤２８のうち前記縄巻き軸３０の中心から離れている一端と前記縄巻きチャンバ２７の内壁との間には発条ばね２９が固定的に連結され、前記回転盤２８の間には縄巻き軸３０が固定的に連結され、前記縄巻きチャンバ２７の後側には外部空間に連通しているスライドチャンバ３１が連通するように設置され、前記ゴムひも１３が前記スライドチャンバ３１を通して前記縄巻き軸３０に巻き付いており、上側の前記回転盤２８の外円周面の中には引っ掛かり溝３２が環状に配列され、且つ上下に貫通するように設置され、上側の前記回転盤２８には前記縄巻きチャンバ２７の左右壁に回転できるように連結されている引っ掛かりロッド３３が前後対称的に設置され、前記縄巻きチャンバ２７の上側には昇降チャンバ３４が設置され、前記昇降チャンバ３４の中には昇降板３５がスライドできるように設置され、前記昇降板３５の下端面には固定ロッド３６が前後対称的に、且つ固定的に設置され、前記固定ロッド３６の下端が前記縄巻きチャンバ２７の中に延びており、且つ前記引っ掛かりロッド３３の上端にヒンジにより連結され、前記昇降板３５が下降して前記引っ掛かりロッド３３の下端を連動させて前記引っ掛かり溝３２から反転させて出すことができ、この時、前記ゴムひも１３のきつさを調節できる。
【００１５】
有益的には、前記バックル装置１０３は前記上阻み板１５の前端面の中に設置されている空きチャンバ３７を含み、前記空きチャンバ３７の中には前記ゴムひも１３の一端に固定的に連結されているバックル３８が設置され、前記バックル３８の中にはロックチャンバ３９が設置され、前記ロックチャンバ３９の後壁には後方へ開口した開口４０が連通するように設置され、前記空きチャンバ３７の後壁にはロックブロック４１が固定的に設置され、前記ロックブロック４１と前記上阻み板１５の中には引きロッドチャンバ４２が連通するように設置され、前記引きロッドチャンバ４２の中には引きロッド４３がスライドできるように設置され、前記引きロッド４３の中には上方へ開口した凹溝４４が設置され、前記凹溝４４の後ろ側面は斜面となっており、前記引きロッドチャンバ４２の前側にはコンロッドチャンバ４５が連通するように設置され、前記引きロッド４３の前端が前記コンロッドチャンバ４５の中に伸びており、且つコンロッド４７が上下対称的に、且つ回転できるように設置され、前記コンロッドチャンバ４５の上下両側には開口が前記コンロッドチャンバ４５から離れているロックロッドチャンバ４６が対称的に、且つ連通するように設置され、前記ロックロッドチャンバ４６の中にはロックロッド４８が反転できるように設置され、前記コンロッド４７の一端が前記ロックロッド４８の後端にヒンジにより連結され、前記ロックロッド４８のうち対称中心に近接している一端と前記ロックロッドチャンバ４６の内壁との間には反転ばね４９が固定的に連結され、前記ロックロッド４８の後端と前記ロックチャンバ３９の後壁とが当接してロックされ、前記ロックロッド４８を前記ロックロッドチャンバ４６の中まで反転させれば解錠できる。
【００１６】
有益的には、前記解錠装置１０４は前記ショック吸収チャンバ１７の左側に設置されている押しチャンバ５０を含み、前記押しチャンバ５０の中には軟質の押し板５１がスライドできるように設置され、前記押しチャンバ５０の下側には伝動チャンバ５２が設置され、前記押し板５１の下端の中間には押しロッド５３が固定的に設置され、前記押しロッド５３の前後端面の中にはラック５４が対称的に、且つ固定的に設置され、前記ラック５４の反対側にはギヤ５５が噛み合うように設置され、前記ギヤ５５の左端にはリール５６が固定的に連結され、前記リール５６には第二引き糸５７が巻きつくように設置され、前記第二引き糸５７の一端が右側の前記反転板２３のうち回転中心から離れている一端に固定的に連結され、前記押し板５１の下端面には一端が前記昇降板３５に固定的に連結されている推しロッド５８が固定的に設置され、前記押しチャンバ５０の下壁と前記引きロッドチャンバ４２との間には突き動かしロッドチャンバ６０が連通するように設置され、前記突き動かしロッドチャンバ６０の中には前記押し板５１に固定的に連結されている突き動かしロッド６１がスライドできるように設置され、前記押し板５１の下端と前記押しチャンバ５０の下壁との間には耐圧ばね５９が固定的に連結され、前記押し板５１の異なる位置を押して前記バックル装置１０３と、前記ゴムひも装置１０２と、本装置全体とをそれぞれ解錠する。
【００１７】
初期状態において、反転板２３が引っ掛かりチャンバ２５の中に位置しており、バックル３８が空きチャンバ３７の中にロックされ、引っ掛かりロッド３３が引っ掛かり溝３２の中に引っ掛かる。
【００１８】
履き口のきつさを調節し、押し板５１の後端を押し、推しロッド５８により昇降板３５と固定ロッド３６とを連動させて下降させ、引っ掛かりロッド３３の下端が反転して引っ掛かり溝３２から出て、ゴムひも１３を適当な長さまで引き動かして押し板５１を放し、バックル３８を解錠する時、押し板５１の前端を押して突き動かしロッド６１を連動させて下降させ、突き動かしロッド６１の下端が凹溝４４の中に伸びて引きロッド４３を連動させて後方へ移動させ、コンロッド４７がロックロッド４８の後端を引き動かして内方へロックロッドチャンバ４６の中まで反転させ、この時、バックル３８を取り出すことができ、上阻み板１５を取り外す時、押し板５１の中間を押して押しロッド５３と、推しロッド５８と、突き動かしロッド６１とを連動させて下降させ、この時、バックル３８が解錠され、ゴムひも１３が発条ばね２９の捻り力のもとで自動的に縄巻き軸３０に巻き付き、ラック５４が下降してギヤ５５とリール５６とを連動させて回転させ、第二引き糸５７と第一引き糸２６により反転板２３を引き動かして反転チャンバ２２の中まで反転させ、この時、上阻み板１５を取り外すことができ、装着する時、サイド阻み板２１を靴底１２の前後両側に沿って右方から左方へスライドさせ、押し板５１の後端を押し、バックル３８を引き動かしてプルストラップ１４に通して空きチャンバ３７の中にロックする。
【００１９】
本発明の有益効果は：本発明は構成が簡単で、操作が便利で、本装置により効果的に足先への重量物の落下から足を守り、同時に取り外すことができ、靴を洗うことに便利であり、同時に需要に応じて履き口のきつさを調節でき、使用がとても便利である。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。